(57)【要約】【課題】  所定の磁気付加データが埋め込まれた原稿が正当なものであるか否かを正確に特定する。【解決手段】  磁気センサー７ｃは、自動原稿送り装置８により搬送されてくる原稿に印刷されている磁気コードパターンを読み取り、光学画像データ取得部３１は、光学的に読み取られた原稿の画像の光学画像データを取得し、磁気画像データ取得部３２は、その磁気コードパターンの磁気画像データを取得する。磁気コードデコード部３３は、その磁気画像データを磁気付加データへデコードする。データ結合部３４は、光学画像データと磁気付加データとを互いに関連付け、データ照合部３５は、基準光学画像データと基準磁気付加データとの対に対してデータ結合部３４により互いに関連付けられた光学画像データと磁気付加データとの対が一致する場合には、原稿が正当なものであると判定する。【選択図】  図２
2018023070.tif 000002
【特許請求の範囲】
【請求項１】
自動原稿送り装置と、
前記自動原稿送り装置により搬送されてくる原稿の画像を光学的に読み取る画像読取部と、
前記自動原稿送り装置により搬送されてくる原稿に印刷されている磁気コードパターンを読み取る磁気センサーと、
前記画像読取部により光学的に読み取られた前記原稿の画像の光学画像データを取得する光学画像データ取得部と、
前記磁気センサーにより読み取られた前記磁気コードパターンの磁気画像データを取得する磁気画像データ取得部と、
前記磁気画像データ取得部により取得された前記磁気画像データを磁気付加データへデコードする磁気コードデコード部と、
前記光学画像データに基づいて、前記原稿内の画像コードパターンを検出し、検出した前記画像コードパターンを画像付加データへデコードする画像コードデコード部と、
前記磁気付加データと、前記原稿内で前記磁気付加データと同一位置で検出された前記画像付加データとを互いに関連付けるデータ結合部と、
基準画像付加データと基準磁気付加データとの対に対して、前記データ結合部により互いに関連付けられた前記画像付加データと前記磁気付加データとの対が一致する場合には、前記原稿が正当なものであると判定するデータ照合部と、
を備えることを特徴とする画像読取装置。
【請求項２】
自動原稿送り装置と、
前記自動原稿送り装置により搬送されてくる原稿の画像を光学的に読み取る画像読取部と、
前記自動原稿送り装置により搬送されてくる原稿に印刷されている磁気コードパターンを読み取る磁気センサーと、
前記画像読取部により光学的に読み取られた前記原稿の画像の光学画像データを取得する光学画像データ取得部と、
前記磁気センサーにより読み取られた前記磁気コードパターンの磁気画像データを取得する磁気画像データ取得部と、
前記磁気画像データ取得部により取得された前記磁気画像データを磁気付加データへデコードする磁気コードデコード部と、
前記光学画像データと前記磁気付加データとを互いに関連付けるデータ結合部と、
基準光学画像データと基準磁気付加データとの対に対して、前記データ結合部により互いに関連付けられた前記光学画像データと前記磁気付加データとの対が一致する場合には、前記原稿が正当なものであると判定するデータ照合部と、
を備えることを特徴とする画像読取装置。
【請求項３】
前記磁気コードパターンは、前記原稿の主走査方向における特定の位置に印刷されており、
前記磁気センサーは、前記自動原稿送り装置の搬送路における、前記原稿の主走査方向における特定の位置に対応する位置に配置されていること、
を特徴とする請求項１または請求項２記載の画像読取装置。
【請求項４】
前記自動原稿送り装置は、前記磁気センサーにより前記磁気コードパターンを読み取る場合の前記原稿の搬送速度を、前記磁気センサーにより前記磁気コードパターンを読み取らない場合のデフォルト搬送速度より遅くすることを特徴とする請求項１または請求項２記載の画像読取装置。
【請求項５】
ネットワークに接続されたサーバーと、
前記ネットワークに接続された画像読取装置とを備え、
前記画像読取装置は、
自動原稿送り装置と、
前記自動原稿送り装置により搬送されてくる原稿の画像を光学的に読み取る画像読取部と、
前記自動原稿送り装置により搬送されてくる原稿に印刷されている磁気コードパターンを読み取る磁気センサーと、
前記画像読取部により光学的に読み取られた前記原稿の画像の光学画像データを取得する光学画像データ取得部と、
前記磁気センサーにより読み取られた前記磁気コードパターンの磁気画像データを取得する磁気画像データ取得部と、
前記磁気画像データ取得部により取得された前記磁気画像データを磁気付加データへデコードする磁気コードデコード部と、
前記光学画像データに基づいて、前記原稿内の画像コードパターンを検出し、検出した前記画像コードパターンを画像付加データへデコードする画像コードデコード部と、
前記磁気付加データと、前記原稿内で前記磁気付加データと同一位置で検出された前記画像付加データとを互いに関連付けて前記サーバーへ送信するデータ結合部とを備え、
前記サーバーは、前記データ結合部により互いに関連付けられた前記画像付加データと前記磁気付加データとの対を受信し、基準画像付加データと基準磁気付加データとの対に対して、前記データ結合部により互いに関連付けられた前記画像付加データと前記磁気付加データとの対が一致する場合には、前記原稿が正当なものであると判定するデータ照合部を備えること、
を特徴とする画像読取システム。
【請求項６】
ネットワークに接続されたサーバーと、
前記ネットワークに接続された画像読取装置とを備え、
前記画像読取装置は、
自動原稿送り装置と、
前記自動原稿送り装置により搬送されてくる原稿の画像を光学的に読み取る画像読取部と、
前記自動原稿送り装置により搬送されてくる原稿に印刷されている磁気コードパターンを読み取る磁気センサーと、
前記画像読取部により光学的に読み取られた前記原稿の画像の光学画像データを取得する光学画像データ取得部と、
前記磁気センサーにより読み取られた前記磁気コードパターンの磁気画像データを取得する磁気画像データ取得部と、
前記磁気画像データ取得部により取得された前記磁気画像データを磁気付加データへデコードする磁気コードデコード部と、
前記光学画像データと前記磁気付加データとを互いに関連付けて前記サーバーへ送信するデータ結合部とを備え、
前記サーバーは、前記データ結合部により互いに関連付けられた前記光学画像データと前記磁気付加データとの対を受信し、基準光学画像データと基準磁気付加データとの対に対して、前記データ結合部により互いに関連付けられた前記光学画像データと前記磁気付加データとの対が一致する場合には、前記原稿が正当なものであると判定するデータ照合部を備えること、
を特徴とする画像読取システム。
【発明の詳細な説明】
【技術分野】
【０００１】
本発明は、画像読取装置および画像読取システムに関するものである。
【背景技術】
【０００２】
紙幣や有価証券などが不正に複製されることがあるため、印刷物を追跡可能とするために、追跡パターンを印刷物に埋め込むことがある。
【０００３】
ある画像形成装置は、磁性トナーを使用して、識別情報パターンを印刷し、追跡情報を印刷物に埋め込む（例えば特許文献１参照）。
【先行技術文献】
【特許文献】
【０００４】
【特許文献１】特開２０１０−１９７８１８号公報
【発明の概要】
【発明が解決しようとする課題】
【０００５】
しかしながら、上述のように磁性トナーによる識別情報パターンを磁気センサーで読み取り、読み取った識別情報パターンを、磁性トナーを使用可能な印刷装置を使用して、別の印刷物へ埋め込むことで、不正な印刷物が生成されてしまう。そのため、その識別情報パターンが埋め込まれた印刷物が正当なものであるか否かを正確に特定することが困難である。
【０００６】
本発明は、上記の問題に鑑みてなされたものであり、所定の磁気付加データが埋め込まれた原稿が正当なものであるか否かを正確に特定する画像読取装置および画像読取システムを得ることを目的とする。
【課題を解決するための手段】
【０００７】
本発明に係る画像読取装置は、自動原稿送り装置と、前記自動原稿送り装置により搬送されてくる原稿の画像を光学的に読み取る画像読取部と、前記自動原稿送り装置により搬送されてくる原稿に印刷されている磁気コードパターンを読み取る磁気センサーと、前記画像読取部により光学的に読み取られた前記原稿の画像の光学画像データを取得する光学画像データ取得部と、前記磁気センサーにより読み取られた前記磁気コードパターンの磁気画像データを取得する磁気画像データ取得部と、前記磁気画像データ取得部により取得された前記磁気画像データを磁気付加データへデコードする磁気コードデコード部と、前記光学画像データに基づいて、前記原稿内の画像コードパターンを検出し、検出した前記画像コードパターンを画像付加データへデコードする画像コードデコード部と、前記磁気付加データと、前記原稿内で前記磁気付加データと同一位置で検出された前記画像付加データとを互いに関連付けるデータ結合部と、基準画像付加データと基準磁気付加データとの対に対して、前記データ結合部により互いに関連付けられた前記画像付加データと前記磁気付加データとの対が一致する場合には、前記原稿が正当なものであると判定するデータ照合部とを備える。
【０００８】
また、本発明に係る画像読取装置は、自動原稿送り装置と、前記自動原稿送り装置により搬送されてくる原稿の画像を光学的に読み取る画像読取部と、前記自動原稿送り装置により搬送されてくる原稿に印刷されている磁気コードパターンを読み取る磁気センサーと、前記画像読取部により光学的に読み取られた前記原稿の画像の光学画像データを取得する光学画像データ取得部と、前記磁気センサーにより読み取られた前記磁気コードパターンの磁気画像データを取得する磁気画像データ取得部と、前記磁気画像データ取得部により取得された前記磁気画像データを磁気付加データへデコードする磁気コードデコード部と、前記光学画像データと前記磁気付加データとを互いに関連付けるデータ結合部と、基準光学画像データと基準磁気付加データとの対に対して、前記データ結合部により互いに関連付けられた前記光学画像データと前記磁気付加データとの対が一致する場合には、前記原稿が正当なものであると判定するデータ照合部とを備える。
【０００９】
また、本発明に係る画像読取システムは、ネットワークに接続されたサーバーと、前記ネットワークに接続された画像読取装置とを備える。前記画像読取装置は、自動原稿送り装置と、前記自動原稿送り装置により搬送されてくる原稿の画像を光学的に読み取る画像読取部と、前記自動原稿送り装置により搬送されてくる原稿に印刷されている磁気コードパターンを読み取る磁気センサーと、前記画像読取部により光学的に読み取られた前記原稿の画像の光学画像データを取得する光学画像データ取得部と、前記磁気センサーにより読み取られた前記磁気コードパターンの磁気画像データを取得する磁気画像データ取得部と、前記磁気画像データ取得部により取得された前記磁気画像データを磁気付加データへデコードする磁気コードデコード部と、前記光学画像データに基づいて、前記原稿内の画像コードパターンを検出し、検出した前記画像コードパターンを画像付加データへデコードする画像コードデコード部と、前記磁気付加データと、前記原稿内で前記磁気付加データと同一位置で検出された前記画像付加データとを互いに関連付けて前記サーバーへ送信するデータ結合部とを備える。前記サーバーは、前記データ結合部により互いに関連付けられた前記画像付加データと前記磁気付加データとの対を受信し、基準画像付加データと基準磁気付加データとの対に対して、前記データ結合部により互いに関連付けられた前記画像付加データと前記磁気付加データとの対が一致する場合には、前記原稿が正当なものであると判定するデータ照合部を備える。
【００１０】
また、本発明に係る画像読取システムは、ネットワークに接続されたサーバーと、前記ネットワークに接続された画像読取装置とを備え、前記画像読取装置は、自動原稿送り装置と、前記自動原稿送り装置により搬送されてくる原稿の画像を光学的に読み取る画像読取部と、前記自動原稿送り装置により搬送されてくる原稿に印刷されている磁気コードパターンを読み取る磁気センサーと、前記画像読取部により光学的に読み取られた前記原稿の画像の光学画像データを取得する光学画像データ取得部と、前記磁気センサーにより読み取られた前記磁気コードパターンの磁気画像データを取得する磁気画像データ取得部と、前記磁気画像データ取得部により取得された前記磁気画像データを磁気付加データへデコードする磁気コードデコード部と、前記光学画像データと前記磁気付加データとを互いに関連付けて前記サーバーへ送信するデータ結合部とを備える。前記サーバーは、前記データ結合部により互いに関連付けられた前記光学画像データと前記磁気付加データとの対を受信し、基準光学画像データと基準磁気付加データとの対に対して、前記データ結合部により互いに関連付けられた前記光学画像データと前記磁気付加データとの対が一致する場合には、前記原稿が正当なものであると判定するデータ照合部を備える。
【発明の効果】
【００１１】
本発明によれば、所定の磁気付加データが埋め込まれた原稿が正当なものであるか否かが正確に特定される。
【００１２】
本発明の上記又は他の目的、特徴および優位性は、添付の図面とともに以下の詳細な説明から更に明らかになる。
【図面の簡単な説明】
【００１３】
【図１】図１は、本発明の実施の形態に係る画像処理装置の内部構成を示す側面図である。
【図２】図２は、実施の形態１に係る画像処理装置の電気的な構成を示すブロック図である。
【図３】図３は、実施の形態２に係る画像処理装置の電気的な構成を示すブロック図である。
【図４】図４は、実施の形態２において使用される原稿における画像コードパターンと磁気コードパターンの位置について説明する図である。
【発明を実施するための形態】
【００１４】
以下、図に基づいて本発明の実施の形態を説明する。
【００１５】
実施の形態１．
【００１６】
図１は、本発明の実施の形態に係る画像処理装置の内部構成を示す側面図である。図１に示す画像処理装置は、スキャナー機、コピー機、ファクシミリ機、複合機などといった装置である。
【００１７】
図１に示す画像処理装置は、コンタクトガラス１ａ，１ｂ、キャリッジ２，３、結像レンズ４、イメージセンサー５、白基準パッチ６、および原稿カバー７を有する。
【００１８】
コンタクトガラス１ａは、当該画像処理装置本体の上面に設置され、原稿カバー７の自動原稿送り装置８を使用せずに画像読取を行う場合に原稿を載置される。
【００１９】
また、コンタクトガラス１ｂは、当該画像処理装置本体の上面に設置され、原稿カバー７の自動原稿送り装置８で原稿を自動的に搬送しつつ画像読取を行う際に、原稿がその上を通過する。
【００２０】
自動原稿送り装置８は、コンタクトガラス１ｂ上を通過するように原稿を通過させ、画像読取部２１が、自動原稿送り装置８により搬送されてくる原稿の画像を、コンタクトガラス１ｂ上を通過するときに、光学的に読み取る。
【００２１】
画像読取部２１において、キャリッジ２は、図示せぬ駆動源によって副走査方向に移動可能に設置されている。キャリッジ２は、光源１１とミラー１２とを有する。光源１１は、主走査方向に沿って配置され、例えば配列された複数の発光ダイオードで光を出射する。光源１１から出射された光は、キャリッジ２の位置に応じて、コンタクトガラス１ａ上に載置された原稿、コンタクトガラス１ｂ上を通過する原稿などで反射する。ミラー１２は、原稿などからの反射光を反射する。原稿カバー７の自動原稿送り装置８を使用して原稿の画像読取を行う場合、キャリッジ２は、コンタクトガラス１ｂの下に固定的に配置される。
【００２２】
また、キャリッジ３は、図示せぬ駆動源によってキャリッジ２とともに副走査方向に移動可能に設置されている。キャリッジ３は、ミラー１３，１４を有する。ミラー１３，１４は、キャリッジ２のミラー１２からの光を反射して副走査方向に沿って出射する。
【００２３】
結像レンズ４は、ミラー１４からの光をイメージセンサー５に結像させる。イメージセンサー５は、主走査方向に配列された所定の画素数の受光素子を有する一次元イメージセンサーであり、ラインごとに、その画素数の画素についての受光量に対応する電気信号を出力する。イメージセンサー５としては、例えば、ＣＣＤ（Charge Coupled Device）が使用される。
【００２４】
白基準パッチ６は、装置内部の天面に配置され、白色の基準データを取得するために使用される板状の部材である。
【００２５】
原稿カバー７は、コンタクトガラス１ａに面接触可能で回動自在に設置されている部材であって、原稿をコンタクトガラス１ａに密着させるとともに、画像読取時に環境光がコンタクトガラス１から装置内部へ入射することを防ぐ。また、原稿カバー７は、自動原稿送り装置８を備え、自動原稿送り装置８は、原稿トレイ７ａに載置された原稿を１枚ずつ搬送ローラー７ｂによって搬送し、コンタクトガラス１ｂ上を通過させる。
【００２６】
さらに、自動原稿送り装置８は、磁気センサー７ｃを備える。
【００２７】
磁気センサー７ｃは、自動原稿送り装置８により搬送されてくる原稿に印刷されている磁気コードパターンを読み取る。磁気センサー７ｃは、測定エリアの磁気強度の変化を検出する磁気ヘッドであって、磁気コードパターンの通過に伴う磁気強度の変化を検出する。
【００２８】
実施の形態１では、磁気コードパターンは、原稿の主走査方向における特定の位置に磁性トナーで印刷されており、磁気センサー７ｃは、自動原稿送り装置８の搬送路における、原稿の主走査方向における特定の位置に対応する位置に配置されている。
【００２９】
つまり、磁気センサー７ｃの幅（主走査方向の幅）は、原稿の幅（主走査方向の幅）より狭く、主走査方向における、磁気コードパターンが通過する箇所にのみ磁気センサー７ｃが設けられている。
【００３０】
図２は、実施の形態１に係る画像処理装置の電気的な構成を示すブロック図である。
【００３１】
図２に示す画像処理装置は、さらに、コントローラー２２、および記憶装置２３を備える。
【００３２】
コントローラー２２は、プログラムを実行するプロセッサー、ＡＳＩＣ（Application Specific Integrated Circuit）などを備え、光学画像データ取得部３１、磁気画像データ取得部３２、磁気コードデコード部３３、データ結合部３４、およびデータ照合部３５として動作する。記憶装置２３は、フラッシュメモリーなどの不揮発性の記憶装置であって、基準データ４１を格納している。基準データ４１は、基準画像データおよび基準磁気付加データの対を含む。
【００３３】
この実施の形態では、コントローラー２２は、自動原稿送り装置８による原稿の搬送速度を調節可能であって、自動原稿送り装置８は、磁気センサー７ｃにより磁気コードパターンを読み取る場合の原稿の搬送速度を、磁気センサー７ｃにより磁気コードパターンを読み取らない場合のデフォルト搬送速度より遅くする。このようにすることで、磁気コードパターンの読取エラーが少なくなる。
【００３４】
光学画像データ取得部３１は、画像読取部２１により光学的に読み取られた原稿の画像の光学画像データを取得する。
【００３５】
磁気画像データ取得部３２は、磁気センサー７ｃにより磁気的な読み取られた磁気コードパターンの磁気画像データを取得する。磁気画像データは、例えば、磁気センサー７ｃの測定エリアの各位置において検出された磁気強度を２値化して得られる値を有する。
【００３６】
磁気コードデコード部３３は、磁気画像データ取得部３２により取得された磁気画像データを磁気付加データへデコードする。例えば、磁気コードパターンは、副走査方向（原稿の搬送方向）に沿って配置された１次元バーコードの形状を有しており、各位置での磁気センサー７ｃの磁気の検出の有無に基づいて、磁気コードパターンの磁気画像データが取得される。
【００３７】
データ結合部３４は、上述の光学画像データと上述の磁気付加データとを互いに関連付ける。
【００３８】
データ照合部３５は、基準データ４１内の基準光学画像データと基準磁気付加データとの対に対して、データ結合部３４により互いに関連付けられた光学画像データと磁気付加データとの対が一致する場合には、原稿が正当なものであると判定する。
【００３９】
一方、上述の光学画像データと磁気付加データとの対に一致する基準光学画像データと基準磁気付加データとの対が基準データ３１にない場合には、データ照合部３５は、原稿が正当なものではないと判定する。
【００４０】
次に、実施の形態１に係る画像読取装置の動作について説明する。
【００４１】
ユーザーは、原稿を原稿トレイ７ａに載置し、図示せぬ操作パネルに所定のユーザー操作を行う。コントローラー２２は、そのユーザー操作を受け付けると、自動原稿送り装置８を使用して原稿の搬送を開始させる。
【００４２】
そして、光学画像データ取得部３１は、画像読取部２１からの出力信号に基づいて、光学的に読み取り可能な原稿の画像の画像データを取得する。
【００４３】
また、磁気画像データ取得部３２は、磁気センサー７ｃからの出力信号に基づいて、磁気的に読み取り可能な原稿の磁気コードパターンの磁気画像データを取得する。磁気コードデコード部３３は、その磁気画像データを磁気付加データへデコードする。例えば磁気付加データは、原稿または原稿作成者の識別情報、日付情報、バージョン情報などを含む。
【００４４】
そして、データ結合部３４は、上述の光学画像データと上述の磁気付加データとを互いに関連付ける。
【００４５】
データ照合部３５は、基準データ４１内の基準光学画像データと基準磁気付加データとの対に対して、データ結合部３４により互いに関連付けられた光学画像データと磁気付加データとの対が一致する場合には、原稿が正当なものであると判定する。
【００４６】
一方、上述の光学画像データと磁気付加データとの対に一致する基準光学画像データと基準磁気付加データとの対がない場合には、データ照合部３５は、原稿が正当なものではないと判定する。
【００４７】
そして、データ照合部３５は、原稿が正当なものであるか否かを示す判定結果を、例えば図示せぬ操作パネルに表示する。
【００４８】
以上のように、上記実施の形態１によれば、磁気センサー７ｃは、自動原稿送り装置８により搬送されてくる原稿に印刷されている磁気コードパターンを読み取り、光学画像データ取得部３１は、画像読取部２１により光学的に読み取られた原稿の画像の光学画像データを取得し、磁気画像データ取得部３２は、磁気センサー７ｃにより読み取られた磁気コードパターンの磁気画像データを取得する。磁気コードデコード部３３は、磁気画像データ取得部３２により取得された磁気画像データを磁気付加データへデコードする。データ結合部３４は、光学画像データと磁気付加データとを互いに関連付け、データ照合部３５は、基準光学画像データと基準磁気付加データとの対に対して、データ結合部３４により互いに関連付けられた光学画像データと磁気付加データとの対が一致する場合には、原稿が正当なものであると判定する。
【００４９】
これにより、磁気付加データが光学画像データに関連付けられているため、正規ではない原稿の場合、磁気コードパターンを別の原稿に付加しても光学画像データが異なるため、そのような原稿は正当なものではないと判定される。このように、所定の磁気付加データが埋め込まれた原稿が正当なものであるか否かが正確に特定される。
【００５０】
実施の形態２．
【００５１】
図３は、実施の形態２に係る画像処理装置の電気的な構成を示すブロック図である。
【００５２】
実施の形態２では、コントローラー２２は、さらに、画像コードデコード部５１として動作する。画像コードデコード部５１は、光学画像データに基づいて、原稿内の光学的に読取可能な画像コードパターン（１次元バーコード、ＱＲコード（登録商標）などといった２次元コードなど）を検出し、検出した画像コードパターンを画像付加データへデコードする。
【００５３】
図４は、実施の形態２において使用される原稿における画像コードパターンと磁気コードパターンの位置について説明する図である。図４に示すように、正規の原稿１０１であれば、同一の位置に、画像コードパターン１１１および磁気コードパターン１１２が印刷されている。例えば、磁気コードパターン１１２は、画像コードパターン１１１の光学的な読み取りの障害とならないように、光学的に低濃度で印刷されている。また、例えば、磁気コードパターン１１２は、一般的に黒色であるので、画像コードパターン１１１の光学的な読み取りの障害とならないように、画像コードパターン１１１は、例えば有彩色で光学的に高濃度で印刷される。
【００５４】
また、正規の原稿１０１については、画像コードパターン１１１をデコードして得られる基準画像付加データ、および磁気コードパターン１１２をデコードして得られる基準磁気付加データは、予め、関連付けられており、実施の形態２では、基準データ４１が、その基準画像付加データと基準磁気付加データとの対を含む。なお、その基準画像付加データと基準磁気付加データとは互いに同一の値を有してもよい。
【００５５】
実施の形態２では、データ結合部３４は、原稿から得られた磁気付加データと、原稿内でその磁気付加データと同一位置で検出された画像付加データとを互いに関連付ける。
【００５６】
また、実施の形態２では、データ照合部３５は、基準データ４１内の基準画像付加データと基準磁気付加データとの対に対してデータ結合部３４により互いに関連付けられた画像付加データと磁気付加データとの対が一致する場合には、原稿が正当なものであると判定する。
【００５７】
一方、上述の画像付加データと磁気付加データとの対に一致する基準画像付加データと基準磁気付加データとの対がない場合には、データ照合部３５は、原稿が正当なものではないと判定する。
【００５８】
そして、データ照合部３５は、原稿が正当なものであるか否かを示す判定結果を、例えば図示せぬ操作パネルに表示する。
【００５９】
なお、原稿において磁気コードパターンと同一位置で画像コードパターンが検出されなかった場合には、データ照合部３５は、原稿が正当なものではないと判定する。
【００６０】
以上のように、上記実施の形態２によれば、画像コードデコード部５１は、光学画像データに基づいて、原稿内の画像コードパターンを検出し、検出した画像コードパターンを画像付加データへデコードする。データ結合部３４は、磁気付加データと、原稿内で磁気付加データと同一位置で検出された画像付加データとを互いに関連付ける。データ照合部３５は、基準画像付加データと基準磁気付加データとの対に対してデータ結合部３４により互いに関連付けられた画像付加データと磁気付加データとの対が一致する場合には、原稿が正当なものであると判定する。
【００６１】
これにより、磁気付加データが画像付加データに関連付けられているため、正規ではない原稿の場合、磁気コードパターンを別の原稿に付加しても画像付加データが異なるため、そのような原稿は正当なものではないと判定される。このように、所定の磁気付加データが埋め込まれた原稿が正当なものであるか否かが正確に特定される。
【００６２】
実施の形態３．
【００６３】
実施の形態３に係る画像読取システムは、インターネット、ローカルエリアネットワークなどのネットワークに接続されたサーバーと、そのネットワークに接続された画像読取装置とを備える。実施の形態３では、実施の形態１におけるデータ照合部３５および基準データ４１が、画像読取装置ではなく、サーバーに設けられている。
【００６４】
そのサーバーは、例えばサーバープログラムを実行するコンピューターおよび記憶装置２３と同様の記憶装置を内蔵し、そのコンピューターによって実現される、実施の形態１と同様のデータ照合部３５を備える。また、そのサーバーの記憶装置には、基準データ４１が格納される。また、実施の形態３における画像読取装置は、実施の形態１に係る画像読取装置におけるデータ照合部３５以外の構成要素を備える。そして、実施の形態３では、その画像読取装置のデータ結合部３４が、磁気付加データと、原稿内で磁気付加データと同一位置で検出された画像付加データとを互いに関連付けて、そのサーバーへ送信し、そのサーバーのデータ照合部３５は、そのデータ結合部３４により互いに関連付けられた画像付加データと磁気付加データとの対を受信し、基準データにおける基準画像付加データと基準磁気付加データとの対に対して、そのデータ結合部３４により互いに関連付けられた画像付加データと磁気付加データとの対が一致する場合には、原稿が正当なものであると判定し、そうではない場合には、原稿が正当なものではないと判定し、その判定結果を画像読取装置へ送信する。
【００６５】
なお、実施の形態３における画像読取装置のその他の動作については、実施の形態１のものと同様であるので、その説明を省略する。
【００６６】
実施の形態４．
【００６７】
実施の形態４に係る画像読取システムは、インターネット、ローカルエリアネットワークなどのネットワークに接続されたサーバーと、そのネットワークに接続された画像読取装置とを備える。実施の形態３では、実施の形態２におけるデータ照合部３５および基準データ４１が、画像読取装置ではなく、サーバーに設けられている。
【００６８】
そのサーバーは、例えばサーバープログラムを実行するコンピューターおよび記憶装置２３と同様の記憶装置を内蔵し、そのコンピューターによって実現される、実施の形態２と同様のデータ照合部３５を備える。また、そのサーバーの記憶装置には、基準データ４１が格納される。また、実施の形態４における画像読取装置は、実施の形態２に係る画像読取装置におけるデータ照合部３５以外の構成要素を備える。そして、実施の形態４では、画像読取装置のデータ結合部３４が、光学画像データと磁気付加データとを互いに関連付けてそのサーバーへ送信し、そのサーバーのデータ照合部３５は、そのデータ結合部３４により互いに関連付けられた光学画像データと磁気付加データとの対を受信し、基準光学画像データと基準磁気付加データとの対に対して、そのデータ結合部３４により互いに関連付けられた光学画像データと磁気付加データとの対が一致する場合には、原稿が正当なものであると判定し、そうではない場合には、原稿が正当なものではないと判定し、その判定結果を画像読取装置へ送信する。
【００６９】
なお、実施の形態４における画像読取装置のその他の動作については、実施の形態２のものと同様であるので、その説明を省略する。
【００７０】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【００７１】
例えば、上記実施の形態１，２では、データ照合部３５は、記憶装置２３に格納されている基準データ４１を使用して、原稿が正当なものであると判定するが、ネットワーク上のサーバーに基準データ４１を格納しておき、データ照合部３５は、サーバーから基準データ４１をダウンロードし使用するようにしてもよい。
【００７２】
また、上記実施の形態２において、データ照合部３５は、実施の形態１と同様に、基準光学画像データと基準磁気付加データとの対に対してデータ結合部３４により互いに関連付けられた光学画像データと磁気付加データとの対が一致するか否かを判定し、光学画像データと磁気付加データとの対が一致し、かつ、基準画像付加データと基準磁気付加データとの対に対してデータ結合部３４により互いに関連付けられた画像付加データと磁気付加データとの対が一致する場合には、原稿が正当なものであると判定し、そうではない場合には、原稿が正当なものではないと判定するようにしてもよい。
【００７３】
また、上記実施の形態１，２において、データ照合部３５は、光学画像データに基づく画像内での、磁気コードパターンの正規の位置を示す基準データを使用して、原稿の画像において磁気コードパターンが検出された位置と、基準データにより示される正規の位置とを比較し、上述した条件に加え、両者が一致した場合のみ、原稿が正当なものであると判定するようにしてもよい。
【産業上の利用可能性】
【００７４】
本発明は、例えば、複製が禁止されている原稿の真贋鑑定などに適用可能である。
【符号の説明】
【００７５】
７ｃ  磁気センサー
８  自動原稿送り装置
２１  画像読取部
３１  光学画像データ取得部
３２  磁気画像データ取得部
３３  磁気コードデコード部
３４  データ結合部
３５  データ照合部
５１  画像コードデコード部
【図１】
2018023070.tif 000003
【図２】
2018023070.tif 000004
【図３】
2018023070.tif 000005
【図４】
2018023070.tif 000006